(57)【要約】【課題】初心者でも温度設定を容易に行うことができるようにする。【解決手段】温度設定画面には、登録済みの温度特性の折れ線８１が表示される。時刻カーソル１１１により選択されている時刻の温度が設定対象の温度となり、時刻カーソル１１１と折れ線８１の交点上に温度カーソル１１２が表示される。ユーザは、登録済みの温度特性の折れ線８１を参照しながら、上ボタン１３６または下ボタン１３８を押して、温度カーソル１１２を移動させることで、設定対象の時刻の温度を設定することができる。本発明は、作物を栽培するハウス内の温度制御を行うハウス温度制御システムに適用することができる。【選択図】図５
2009268427.tif 000002
【特許請求の範囲】
【請求項１】
登録済みの温度特性で温度を制御する温度制御手段と、
前記登録済みの温度特性の特性線を表示する表示手段と、
前記表示手段に表示されている前記温度特性の特性線の所定の時刻の温度の位置を、所望の温度の位置に指定することで、２４時間の各時刻のうち、所望の時刻の温度を設定する設定手段と、
前記設定手段により設定された２４時間分の温度特性を、１つの温度特性として登録する登録手段と
を備える温度制御装置。
【請求項２】
登録済みの複数の前記温度特性の中から１つの温度特性を選択する選択手段をさらに備え、
前記温度制御手段は、選択された前記温度特性で温度を制御する
請求項１に記載の温度制御装置。
【請求項３】
前記所定の時刻の温度の位置は、時刻の位置を表すカーソルと、温度の位置を表すカーソルにより指定される
請求項２に記載の温度制御装置。
【請求項４】
前記登録済みの温度特性は、予め用意されている温度特性である
請求項２に記載の温度制御装置。
【請求項５】
前記登録済みの温度特性は、過去に前記登録手段により登録された温度特性である
請求項２に記載の温度制御装置。
【請求項６】
登録済みの温度特性で温度を制御する温度制御装置が、
前記登録済みの温度特性の特性線を表示手段に表示させ、
前記表示手段に表示されている前記温度特性の特性線の所定の時刻の温度の位置を、所望の温度の位置に指定することで、２４時間の各時刻のうち、所望の時刻の温度を設定し、
設定された２４時間分の温度特性を、１つの温度特性として登録する
ステップを含む温度設定方法。
【請求項７】
登録済みの温度特性の特性線を表示手段に表示させ、
前記表示手段に表示されている前記温度特性の特性線の所定の時刻の温度の位置を、所望の温度の位置に指定することで、２４時間の各時刻のうち、所望の時刻の温度を設定し、
設定された２４時間分の温度特性を、１つの温度特性として登録する
ステップを含む処理をコンピュータに実行させるためのプログラム。
【発明の詳細な説明】
【技術分野】
【０００１】
本発明は、温度制御装置、温度設定方法、およびプログラムに関し、特に、経験者でなくても容易に温度の設定をすることができるようにした温度制御装置、温度設定方法、およびプログラムに関する。
【背景技術】
【０００２】
多くのハウス農家においては、重油を燃料としてハウス暖房が行われている。しかしながら、近年、原油価格の高騰によりハウス暖房用燃料が大きく値上がりし、殆どの作物において採算割れを起こしている。
【０００３】
ハウス被覆材料の断熱性を上げる、被覆材の隙間をできるだけ塞ぐ、ハウス上部の暖かい空気を攪拌して均一な温度分布にする、または、重油バーナのノズル清掃をこまめに行うなどの対策が提案されているが、これらの省エネ効果は２乃至３割程度である。
【０００４】
そこで、暖房費をさらに低減させる方法として、重油の代わりに、ヒートポンプを用いたエアーコンディショナを使用する方法が提案されている。例えば、非特許文献１には、エアーコンディショナを使用して、エアーコンディショナと重油焚温風暖房機を効率よく連動制御するために制御盤が用いられている。
【０００５】
【非特許文献１】ネポン株式会社，グリーンパッケージ，[online]，[平成２０年５月７日検索]，インターネット<URL: http://www.nepon.co.jp/products/agriculture/gp/index.html>
【発明の開示】
【発明が解決しようとする課題】
【０００６】
しかしながら、従来の制御盤においては、０時乃至６時、６時乃至１２時、１２時乃至１８時、および１８時乃至２４時という限られた４つの時間帯の温度しか設定することができず、初心者には、設定が困難であった。
【０００７】
すなわち、経験的に各時間帯の設定温度を知っていなければ、この制御盤を効率よく利用することができなかった。
【０００８】
本発明はこのような状況に鑑みてなされたものであり、初心者でも温度設定を容易に行うことができるようにするものである。
【課題を解決するための手段】
【０００９】
本発明の一側面の温度制御装置は、登録済みの温度特性で温度を制御する温度制御手段と、前記登録済みの温度特性の特性線を表示する表示手段と、前記表示手段に表示されている前記温度特性の特性線の所定の時刻の温度の位置を、所望の温度の位置に指定することで、２４時間の各時刻のうち、所望の時刻の温度を設定する設定手段と、前記設定手段により設定された２４時間分の温度特性を、１つの温度特性として登録する登録手段とを備える。
【００１０】
登録済みの複数の前記温度特性の中から１つの温度特性を選択する選択手段をさらに備え、前記温度制御手段は、選択された前記温度特性で温度を制御することができる。
【００１１】
前記所定の時刻の温度の位置は、時刻の位置を表すカーソルと、温度の位置を表すカーソルにより指定されることができる。
【００１２】
前記登録済みの温度特性は、予め用意されている温度特性である。
【００１３】
前記登録済みの温度特性は、過去に前記登録手段により登録された温度特性である。
【００１４】
本発明の一側面の温度設定方法は、登録済みの温度特性の特性線を表示手段に表示させ、前記表示手段に表示されている前記温度特性の特性線の所定の時刻の温度の位置を、所望の温度の位置に指定することで、２４時間の各時刻のうち、所望の時刻の温度を設定し、設定された２４時間分の温度特性を、１つの温度特性として登録するステップを含む。
【００１５】
本発明の一側面のプログラムは、登録済みの温度特性の特性線を表示手段に表示させ、前記表示手段に表示されている前記温度特性の特性線の所定の時刻の温度の位置を、所望の温度の位置に指定することで、２４時間の各時刻のうち、所望の時刻の温度を設定し、設定された２４時間分の温度特性を、１つの温度特性として登録するステップを含む。
【００１６】
本発明の一側面の温度制御装置、温度設定方法、およびプログラムにおいては、登録済みの温度特性の特性線が表示手段に表示され、表示手段に表示されている温度特性の特性線の所定の時刻の温度の位置を、所望の温度の位置に指定することで、２４時間の各時刻のうち、所望の時刻の温度が設定される。そして、設定された２４時間分の温度特性が、１つの温度特性として登録される。
【発明の効果】
【００１７】
以上のように、本発明の一側面によれば、経験者でなくても温度の設定が容易にできる。
【発明を実施するための最良の形態】
【００１８】
以下、図面を参照しながら本発明の実施の形態について説明する。
【００１９】
図１および図２は、本発明を適用したハウス温度制御システムの一実施の形態の構成例を示す図である。すなわち、図１は、図２のハウス温度制御システム１を左側面側から見た側面図であり、図２は、図１のハウス温度制御システム１を上から見た上面図である。
【００２０】
図１および図２において、ハウス温度制御システム１は、エアーコンディショナ１１−１乃至１１−６、除湿用エアーコンディショナ１２、循環ファン１３、温度センサ２１−１乃至２１−６、および湿度センサ２２により構成され、外気の温度変化などにより逐次変わるハウス２内の温度を管理し、制御する。なお、図１の例においては、説明の便宜上、図２に示されるエアーコンディショナ１１−３乃至１１−６、温度センサ２１−１乃至２１−６、および湿度センサ２２は省略されている。
【００２１】
ハウス２は、木材、または鋼材を躯体とし、合成樹脂のフィルムで外壁を被覆した農業用の小屋であり、例えば、１反ほどの広さを有する。このハウス２内には、図示せぬトマト、なす、またはメロンなどの作物が栽培されている。ハウス２の被覆材料には、農業用ポリ塩化ビニルフィルムなどが用いられる。
【００２２】
エアーコンディショナ１１−１乃至１１−６、および除湿用エアーコンディショナ１２は、図１に示されるように、ハウス２の地面に設置されており、循環ファン１３は、ハウス２の上部（天井付近）に設置されている。なお、温度センサ２１−１乃至２１−６、および湿度センサ２２は、作物の高さと同等の高さに配置されるのが望ましい。
【００２３】
エアーコンディショナ１１−１乃至１１−６は、ハウス２内の壁にそれぞれ沿うように配置されており、温風または冷風を出力することで、ハウス２内の温度を調整する。
【００２４】
すなわち、図２に示されるように、エアーコンディショナ１１−１は、ハウス２の左上隅に配置されており、エアーコンディショナ１１−２は、ハウス２の左下隅に配置されている。エアーコンディショナ１１−３は、エアーコンディショナ１１−１および１１−５の中間の位置に配置されており、エアーコンディショナ１１−４は、エアーコンディショナ１１−２および１１−６の中間の位置に配置されている。エアーコンディショナ１１−５は、ハウス２の右上隅に配置されており、エアーコンディショナ１１−６は、ハウス２の右下隅に配置されている。そして、エアーコンディショナ１１−１乃至１１−６は、それぞれ、配置されている場所付近の温度を調整する。
【００２５】
除湿用エアーコンディショナ１２は、エアーコンディショナ１１−５および１１−６の間に配置されており、ハウス２内の除湿を行う。循環ファン１３は、エアーコンディショナ１１−１および１１−２の間であって、図１に示されるように、ハウス２内の天井付近に配置され、常時、送風することで、ハウス２内の空気を攪拌し、循環させる。
【００２６】
温度センサ２１−１乃至２１−６は、それぞれ、エアーコンディショナ１１−１乃至１１−６から所定の距離をおいて配置されており、ハウス２内の温度を測定する。湿度センサ２２は、ハウス２内の中央に配置されており、ハウス２内の湿度を測定する。
【００２７】
ここで、図２における点線は、対応関係を示している。温度センサ２１−１乃至２１−６は、それぞれ、エアーコンディショナ１１−１乃至１１−６に対応している。そして、温度センサ２１−１乃至２１−６は、それぞれ、エアーコンディショナ１１−１乃至１１−６により温度が調整可能な場所に配置され、エアーコンディショナ１１−１乃至１１−６により調整される温度を測定する。また、湿度センサ２２は、除湿用エアーコンディショナ１２に対応しており、除湿用エアーコンディショナ１２により調整される湿度を測定する。
【００２８】
なお、以下、エアーコンディショナ１１−１乃至１１−６、および温度センサ２１−１乃至２１−６を個々に区別する必要がない場合、単にエアーコンディショナ１１、および温度センサ２１と称する。
【００２９】
また、図１および図２においては、エアーコンディショナ１１が６台、除湿用エアーコンディショナ１２が１台、循環ファン１３が１台の例が示されているが、エアーコンディショナ１１、除湿用エアーコンディショナ１２、および循環ファン１３の台数および配置場所は、図１および図２の例に限らず、それぞれ、２台、３台、さらにそれ以上の複数台で構成することもでき、それらの配置場所も、図１および図２の例に限らない。
【００３０】
温度センサ２１および湿度センサ２２の数も、それらの配置場所も図１および図２の例に限らない。特に、配置場所に関しては、天井付近に配置されたり、地面付近に配置されることもできる。
【００３１】
図３は、図１および図２のハウス温度制御システム１の電気的構成例を示している。
【００３２】
図３の例において、ハウス温度制御システム１は、エアーコンディショナ１１−１乃至１１−６、除湿用エアーコンディショナ１２、温度センサ２１−１乃至２１−６、湿度センサ２２、制御部４１、入力部４２、表示部４３、タイマ４４、および記憶部４５により構成される。
【００３３】
エアーコンディショナ１１−１乃至１１−６は、制御部４１の制御のもと、ハウス２内の温度を調整する。除湿用エアーコンディショナ１２は、制御部４１の制御のもと、ハウス２内の湿度を調整する。
【００３４】
温度センサ２１−１乃至２１−６は、それぞれ、定期的に温度を測定し、測定した温度の情報を、制御部４１に出力する。湿度センサ２２は、定期的に湿度を測定し、測定した湿度の情報を、制御部４１に出力する。
【００３５】
制御部４１は、ユーザによる入力部４２の操作に基づいて、記憶部４５に記憶されている登録済みの温度特性の折れ線を表示部４３に表示させたり、ハウス２内で作物を栽培するための２４時間の各時刻の温度を設定し、設定した２４時間分の温度特性を、１つの温度特性として記憶部４５に登録する。
【００３６】
また、制御部４１は、ユーザによる入力部４２の操作に基づいて、記憶部４５に記憶されている登録済みの温度特性の中から１つの温度特性を選択し、そのデータを記憶部４５から読み出す。そして、制御部４１は、所定の間隔で、読み出した温度特性のデータに基づいて、ハウス２内の温度制御を行う。すなわち、制御部４１は、タイマ４４が計時するクロックを参照し、読み出した温度特性のデータと温度センサ２１−１乃至２１−６からの情報を用いて、エアーコンディショナ１１−１乃至１１−６の動作を制御する。
【００３７】
ここで、制御部４１は、機能的に、設定制御部５１、登録部５２、および温度制御部５３により構成される。
【００３８】
設定制御部５１は、入力部４２からの操作情報に基づいて、登録済みの温度特性の折れ線や、ユーザが登録済みの温度特性を利用して、新たな温度特性を設定するための温度設定画面を表示部４３に表示させる。温度設定画面が表示されているとき、設定制御部５１は、入力部４２からの操作情報に基づいて、２４時間の各時間のうち、所望の時刻の温度を設定する。
【００３９】
また、設定制御部５１は、入力部４２からの操作情報に基づいて、登録部５２を制御し、設定した２４時間分の温度特性を、１つの温度特性として記憶部４５に登録させたり、温度制御部５３を制御し、登録済みの温度特性の中からユーザの所望する温度特性を選択させ、その温度特性を基にハウス２内の温度を制御させる。
【００４０】
なお、実際には、設定制御部５１には、入力部４２から座標情報が入力される。設定制御部５１は、表示部４３に表示された操作ボタンの座標と、入力部４２から入力された座標とを比較し、いずれの操作ボタンがユーザにより操作されたのかを判定することで操作情報を得るが、説明の便宜上、以下においても、設定制御部５１には入力部４２から操作情報が入力されると説明する。
【００４１】
登録部５２は、設定制御部５１の制御のもと、設定制御部５１により設定された２４時間分の温度特性を、１つの温度特性として記憶部４５に登録する。
【００４２】
温度制御部５３は、設定制御部５１の制御のもと、記憶部４５に記憶されている登録済みの温度特性の中から１つの温度特性を選択して、その温度特性のデータを記憶部４５から読み出す。そして、温度制御部５３は、タイマ４４が計時するクロックを参照し、読み出した温度特性の現時刻における温度と、温度センサ２１−１乃至２１−６から入力された温度の差がそれぞれ０となるように、それぞれ、エアーコンディショナ１１−１乃至１１−６の動作を制御する。
【００４３】
なお、エアーコンディショナ１１の動作の制御方法としては、エアーコンディショナ１１を自動運転させて、エアーコンディショナ１１の稼動、停止のみを制御することもできるし、エアーコンディショナ１１の設定温度までも制御することもできる。
【００４４】
入力部４２は、例えば、表示部４３に積層されるタッチパネルなどにより構成され、ユーザの操作情報を、設定制御部５１に出力する。なお、具体的には、入力部４２は、ユーザの操作位置に対応する座標を検出し、検出された座標情報を設定制御部５１に出力している。
【００４５】
表示部４３は、例えば、LCD（Liquid Crystal Display）などの薄型の表示装置で構成され、設定制御部５１の制御のもと、登録済みの温度特性の折れ線や温度設定画面などを表示する。
【００４６】
タイマ４４は、計時動作を行い、ハウス温度制御システム１内のクロックを管理している。
【００４７】
記憶部４５は、ハウス温度制御システム１により登録済みの温度特性のデータを記憶している。温度特性は、ハウス２内の温度を２４時間どのように制御するか、すなわち、ハウス２内の目標となる２４時間の温度を時刻毎に示したものであり、温度制御部５３がハウス２内の温度を制御する際に用いられる。
【００４８】
例えば、記憶部４５には、ハウス温度制御システム１において予め用意されている平均的な温度特性や、ユーザがハウス温度制御システム１を用いて過去に自ら設定した温度特性などのデータがすでに登録されている。
【００４９】
なお、記憶部４５には、温度の場合と同様に、湿度特性のデータも登録することもできる。この場合、制御部４１は、タイマ４４が計時するクロックを参照し、選択した湿度特性のデータと湿度センサ２２からの情報を用いて、除湿用エアーコンディショナ１２の動作を制御する。
【００５０】
また、図示は省略するが、例えば、ハウス２に、炭酸ガス濃度センサと炭酸ガス発生器を設置し、炭酸ガス濃度の閾値を記憶部４５に登録することで、制御部４１は、登録した閾値と炭酸ガス濃度センサからの情報を用いて、炭酸ガス発生器の動作を制御することもできる。
【００５１】
さらに、同様に、ハウス２の上部と下部にそれぞれ温度センサを設置し、ハウス２の上部温度と下部温度の差の閾値を記憶部４５に登録することで、制御部４１は、登録した閾値とハウス２の上部の温度センサおよびハウス２の下部の温度センサからの情報を用いて、循環ファン１３の動作を制御し、ハウス２内の温度むらを制御することもできる。
【００５２】
図４は、図３の記憶部４５に登録済みの温度特性の特性線の例を示す図である。なお、図４の例においては、特性線が折れ線である場合を説明するが、曲線など他の種類の特性線とすることもできる。
【００５３】
図４のグラフにおいて、縦軸は温度（℃）を示し、横軸は２４時間の各時刻（０時乃至２４時）を示す。折れ線８１乃至折れ線８５は、ハウス温度制御システム１に予め用意されている、各作物を栽培するためのハウス２内の平均的な温度特性、すなわち、２４時間分の温度情報を表す折れ線である。
【００５４】
すなわち、折れ線８１は、トマトを栽培するためのハウス２内の平均的な温度特性を表す折れ線である。折れ線８２は、なすを栽培するためのハウス２内の平均的な温度特性を表す折れ線である。折れ線８３は、ピーマンを栽培するためのハウス２内の平均的な温度特性を表す折れ線である。折れ線８４は、メロンを栽培するためのハウス２内の平均的な温度特性を表す折れ線である。折れ線８５は、イチゴを栽培するためのハウス２内の平均的な温度特性を表す折れ線である。
【００５５】
これらの折れ線８１乃至折れ線８５は、ユーザが、例えば、表示部４３に表示される温度特性読み出しボタン（図示せぬ）を押すことに対応して、入力部４２を介してユーザの操作情報が、設定制御部５１に出力され、設定制御部５１により記憶部４５から登録済みの温度特性のデータが読み出されることで、表示部４３に表示される。
【００５６】
なお、図４の例においては、記憶部４５に予め用意されている温度特性の折れ線しか示されていないが、例えば、表示部４３に表示される温度設定画面が用いられてユーザ自身により指示されることで、記憶部４５に新たに登録された、例えば、「トマトI」、「トマトII」、または「なすI」などの温度特性の折れ線も同様に表示することができる。
【００５７】
ユーザは、このように表示部４３に表示される温度特性の折れ線および温度特性の名前を確認して、所望の温度特性の折れ線または名前を押し、例えば、表示部４３に表示される温度制御ボタン（図示せぬ）を押すことで、ハウス２内の温度制御の基となる温度特性を選択する。
【００５８】
このユーザの選択情報は、ユーザ操作情報として入力部４２から設定制御部５１に入力される。入力部４２からの選択情報に対応して、設定制御部５１は、温度制御部５３を制御し、記憶部４５に記憶されている登録済みの温度特性の中からユーザにより選択された温度特性を読み出させ、読み出した温度特性のデータに基づいて、ハウス２内の温度制御を行わせる。
【００５９】
以上のように、ハウス温度制御システム１においては、登録済みの温度特性、すなわち、２４時間分の温度特性を表す折れ線が表示されるので、ユーザは、どの温度特性を用いることで、ハウス２の温度が２４時間どのように制御されるかをすぐに把握することができる。これにより、ユーザは、ハウス２内の温度制御をするために適する温度特性を容易に選択することができる。
【００６０】
また、ユーザは、表示部４３に表示される温度特性の折れ線および温度特性の名前を確認して、所望の温度特性の折れ線または名前を押し、例えば、表示部４３に表示される温度設定ボタン（図示せぬ）を押すことで、所望の温度を設定し、新しく温度特性を登録する際に参照する温度特性を選択する。
【００６１】
このユーザの選択情報は、ユーザ操作情報として入力部４２から設定制御部５１に入力される。入力部４２からの選択情報に対応して、設定制御部５１は、図５に示されるような温度設定画面を表示部４３に表示させる。
【００６２】
図５は、表示部４３に表示される温度設定画面の例を示す図である。
【００６３】
図５において、温度設定画面は、温度特性表示領域１０１と、それ以外の領域である操作領域１０２により構成される。温度特性表示領域１０１には、図４のグラフと同様に、縦軸が温度（℃）を示し、横軸が２４時間の各時刻を示すグラフが表示されており、グラフには、ユーザにより選択されたトマトの温度特性の折れ線８１が表示されている。ユーザは、温度特性表示領域１０１に表示される折れ線８１を基に、所望の温度を設定する。グラフの上部には、「トマト」として、選択された温度特性の名前が表示されている。
【００６４】
また、グラフの１８時の位置には、時刻カーソル１１１が表示され、時刻カーソル１１１上には、白丸で表される温度カーソル１１２が表示されている。
【００６５】
時刻カーソル１１１は、設定対象の時刻を選択するためのカーソルであり、ユーザにより、操作領域１０２の左ボタン１３２、時刻移動カーソルボタン１３３、または右ボタン１３４が押されることで、グラフの横軸（各時刻）上を移動する。
【００６６】
温度カーソル１１２は、時刻カーソル１１１により選択されている時刻の温度を設定するためのカーソルであり、温度カーソル１１２の初期位置は、折れ線８１上、すなわち、時刻カーソル１１１と折れ線８１の交点である。
【００６７】
温度カーソル１１２は、ユーザにより、操作領域１０２の上ボタン１３６または下ボタン１３８が押されることで、時刻カーソル１１１上を、上または下に移動する。そして、ユーザにより操作領域１０２の決定ボタン１３７が押されることで、時刻カーソル１１１により選択されている時刻の温度は、温度カーソル１１２が位置する温度に決定され、決定された温度の位置に黒丸が表示される。
【００６８】
すなわち、図５の例においては、時刻カーソル１１１により選択されている１８時の温度が設定中であり、０時乃至１７時の温度が決定済みのため、０時乃至１７時において決定された温度の位置に、それぞれ黒丸が表示されている。
【００６９】
なお、これらの黒丸の表示は、ユーザにより操作領域１０２の温度設定完了ボタン１３１が押されることで、各黒丸の間をつなぐ折れ線の表示に変わる。つまり、温度特性表示領域１０１には、新たに設定された温度特性の折れ線が表示される。
【００７０】
操作領域１０２には、温度設定完了ボタン１３１、左ボタン１３２、時刻移動カーソルボタン１３３、右ボタン１３４、名前を付けて保存ボタン１３５、上ボタン１３６、決定ボタン１３７、および下ボタン１３８が表示されている。
【００７１】
温度設定完了ボタン１３１は、全ての時刻の温度設定が完了したとき、または、表示された温度特性そのままでよいとき（すなわち、温度設定画面を終了したいとき）に、それらを制御部４１に通知するためのボタンである。この温度設定完了ボタン１３１が押されることで、表示されている黒丸の代わりに、各黒丸の間をつなぐ折れ線が表示される。
【００７２】
左ボタン１３２は、時刻カーソル１１１を左に移動させるためのボタンである。時刻移動カーソルボタン１３３は、時刻カーソル１１１を０時の位置に移動させるためのボタンである。右ボタン１３４は、時刻カーソル１１１を右に移動させるためのボタンである。名前を付けて保存ボタン１３５は、設定が完了した２４時間分の温度を、１つの温度特性として名前を付けて登録するためのボタンである。
【００７３】
上ボタン１３６は、温度カーソル１１２を上に移動させるためのボタンである。決定ボタン１３７は、時刻カーソル１１１により選択されている時刻の温度を、温度カーソル１１２の位置を移動させることで設定された温度に決定するためのボタンである。下ボタン１３８は、温度カーソル１１２を下に移動させるためのボタンである。
【００７４】
ここで、図５の温度設定画面を用いて行われる温度設定方法について説明する。なお、ユーザが温度設定画面に表示された折れ線８１を確認して、そのままでよい場合には、ユーザは温度設定完了ボタン１３１を押す。すなわち、ユーザにより温度設定完了ボタン１３１以外のボタンが押されずに、温度設定完了ボタン１３１が押された場合、表示部４３における温度設定画面の表示は終了される。
【００７５】
表示部４３に温度設定画面が表示されると、まず、０時の時刻から温度設定を開始するため、ユーザは、時刻移動カーソルボタン１３３を押す。この操作に対応して、設定制御部５１は、時刻カーソル１１１を０時の位置に移動させて表示させる。なお、このとき、温度カーソル１１２は、初期位置の折れ線８１上に位置している。
【００７６】
ユーザは、折れ線８１上に位置する温度カーソル１１２を、上ボタン１３６または下ボタン１３８を用いて、時刻カーソル１１１上を上または下に移動させ、所望の温度（例えば、１１度）の位置に設定し、決定ボタン１３７を押す。この操作に対応して、設定制御部５１は、時刻カーソル１１１により選択されている時刻（いまの場合、０時）の温度を、温度カーソル１１２が位置する温度（例えば、１１度）に決定し、決定された温度の位置に、黒丸を表示させる。
【００７７】
このように、温度カーソル１１２を折れ線８１上から移動させることで、０時の温度は、折れ線８１の温度特性と異なる温度に設定される。
【００７８】
次に、ユーザは、１時の温度設定を行うため、右ボタン１３４を押す。この操作に対応して、設定制御部５１は、時刻カーソル１１１を１時の位置に移動させて表示させる。例えば、１時の温度が折れ線８１の温度特性と同じ温度でよい場合には、ユーザは、上ボタン１３６または下ボタン１３８を用いることなく、決定ボタン１３７を押す。
【００７９】
この操作に対応して、設定制御部５１は、時刻カーソル１１１により選択されている時刻（いまの場合、１時）の温度を、温度カーソル１１２が位置する温度（いまの場合、折れ線８１上の１０度）に決定し、決定された温度の位置（すなわち、折れ線８１上）に、黒丸を表示させる。
【００８０】
なお、左ボタン１３２を押して、０時上に時刻カーソル１１１を移動させることで、決定されている０時の温度を修正することもできる。
【００８１】
以上の処理が２３時まで繰り返され、設定制御部５１により２３時までの温度が決定されると、ユーザは、温度設定完了ボタン１３１を押す。この操作に対応して、設定制御部５１は、決定された２４時間の各時刻の温度をつなぐ温度特性の折れ線を表示させる。このとき、決定された温度の位置に表示されている黒丸は消去することもできるし、消さずに表示させておくこともできる。
【００８２】
なお、例えば、全ての時刻の温度が決定されていない場合に、ユーザにより温度設定完了ボタン１３１が押されたとき、決定されていない時刻の温度は、表示されている折れ線８１の温度特性の温度に決定されて、決定された温度の間をつなぐ温度特性の折れ線が表示される。
【００８３】
ユーザは、表示された温度特性の折れ線を登録するため、名前を付けて保存ボタン１３５を押す。これに対応して、設定制御部５１は、例えば、名前を入力するためのキーボードおよび入力領域（図示せぬ）を表示部４３に表示させる。
【００８４】
ユーザは、表示部４３に表示されたキーボードを押して、入力領域に、所望の温度特性の名前（例えば、トマトII）を入力する。この操作に対応して、登録部５２は、２４時間全ての時刻の温度を、１つの温度特性として、ユーザにより入力された名前で記憶部４５に登録する。
【００８５】
以上のように、温度設定時に、登録済みの温度特性の折れ線が表示され、それを基に温度を設定することができるので、経験者でなくても温度の設定が容易にできる。
【００８６】
また、設定した温度特性を登録しておくことができるので、適宜、この温度特性を読み出して、その温度特性でハウス２内の温度制御ができるだけでなく、さらに、この温度特性でハウス２の温度を制御した場合に作成された作物の出来具合と、この温度特性との関係を簡単に把握することができるようになる。
【００８７】
この結果、ユーザ毎に作物を作成する環境は異なるが、各ユーザは、自分の環境により最適な温度特性を容易に、かつ、早く把握し、設定することが可能となる。
【００８８】
次に、図６のフローチャートを参照して、ハウス温度制御システム１の温度設定処理を説明する。
【００８９】
例えば、表示部４３に温度特性読み出しボタン（図示せぬ）が表示されている。ユーザは、温度設定を行うため、この温度特性読み出しボタンを押す。設定制御部５１は、入力部４２からのユーザの操作情報に基づいて、記憶部４５から、登録済みの温度特性のデータを読み出し、対応する温度特性の折れ線を表示部４３に表示させる。これにより、表示部４３には、例えば、図４の温度特性の折れ線が表示される。
【００９０】
ユーザは、表示部４３に表示される温度特性の折れ線および温度特性の名前を確認して、所望の温度特性の折れ線または名前を押し、例えば、表示部４３に表示される温度設定ボタン（図示せぬ）を押すことで、１つの温度特性を選択する。入力部４２から入力されるこの操作情報に対応して、ステップＳ１１において、設定制御部５１は、温度設定画面を表示部４３に表示させる。これにより、表示部４３には、例えば、選択された温度特性の折れ線８１が示される図５の温度設定画面が表示される。
【００９１】
ステップＳ１２において、設定制御部５１は、温度設定完了ボタン１３１が押されたか否かを判定する。ステップＳ１２において、温度設定完了ボタン１３１が押されていないと判定された場合、設定制御部５１は、ステップＳ１３において、決定ボタン１３７が押されたか否かを判定する。
【００９２】
ステップＳ１３において、決定ボタン１３７が押されていないと判定された場合、処理は、ステップＳ１４に進む。
【００９３】
ユーザは、時刻カーソル１１１を、温度を設定したい時刻上に移動させるために、左ボタン１３２、時刻移動カーソルボタン１３３、あるいは右ボタン１３４を押す。または、ユーザは、時刻カーソル１１１により選択されている時刻の温度を、温度カーソル１１２を移動させて設定するために、上ボタン１３６や下ボタン１３８を押す。
【００９４】
ステップＳ１４において、設定制御部５１は、ユーザの操作情報に対応して、温度設定画面におけるカーソルの表示を更新する。すなわち、入力部４２を介してユーザの操作情報が入力されるので、設定制御部５１は、ユーザの操作情報に対応した位置に、時刻カーソル１１１または温度カーソル１１２を移動させて表示させる。
【００９５】
ユーザは、温度カーソル１１２を移動させることで、時刻カーソル１１１により選択されている時刻の温度を所望の温度に設定し、決定ボタン１３７を押す。
【００９６】
このようなユーザの操作情報に対応して、設定制御部５１は、ステップＳ１３において、決定ボタンが押されたと判定し、ステップＳ１５において、時刻カーソル１１１により選択されている時刻の温度を決定する。そして、設定制御部５１は、ステップＳ１６において、決定された温度の位置に、黒丸を表示させる。
【００９７】
以上のようにして、２４時間全ての時刻、または、２４時間のうち、折れ線８１上の温度と異なる温度に設定したい時刻について、温度を決定すると、ユーザは、温度設定完了ボタン１３１を押す。
【００９８】
設定制御部５１は、ユーザの操作情報に対応し、ステップＳ１２において、温度設定完了ボタン１３１が押されたと判定し、ステップＳ１７において、設定が完了した２４時間の温度特性の折れ線を表示部４３に表示させる。すなわち、設定制御部５１は、温度が決定されたことで表示していた黒丸の表示を、決定された温度間をつなぐ折れ線の表示へと更新する。
【００９９】
なお、決定されていない時刻の温度があれば、設定制御部５１は、表示されている折れ線８１の温度特性の温度に決定して、２４時間の温度特性の折れ線を表示部４３に表示させる。また、このとき、設定制御部５１は、ユーザにより決定された温度を、温度特性の特性線がなだらかな曲線になるように微調整することも可能である。
【０１００】
さらに、上記説明においては、温度設定完了ボタン１３１を押されたときに折れ線を表示させる場合を説明したが、温度設定完了ボタン１３１を押されたときではなく、ステップＳ１６の黒丸を表示させるときに、決定された温度までの折れ線を表示させることもできる。
【０１０１】
ユーザは、設定した温度を保存するために、名前を付けて保存ボタン１３５を押す。これに対応して、設定制御部５１は、例えば、名前を入力するためのキーボードおよび入力領域（図示せぬ）を表示部４３に表示させる。ユーザは、表示部４３に表示されたキーボードを押して、入力領域に、所望の温度特性の名前を入力する。
【０１０２】
入力部４２より対応する操作情報が入力されると、設定制御部５１は、２４時間の温度特性と入力された名前を登録部５２に出力する。これに対応して、登録部５２は、ステップＳ１８において、２４時間の温度特性を、１つの温度特性として、入力された名前で記憶部４５に登録する。
【０１０３】
以上のようにして新たな温度特性が登録されるので、ハウス温度制御システム１においては、この温度特性を、図４を参照して上述したように、表示部４３に表示させたり、ハウス２の温度制御に用いたり、または、図５を参照して上述したように、さらに新たな温度設定に用いることができる。
【０１０４】
以上のように、ハウス温度制御システム１においては、２４時間分の温度が設定された温度特性が用いられて温度制御が行われる。
【０１０５】
すなわち、ハウス２内の温度は、通常、例えば、５度や１０度一気に上昇（下降）するなどのように急に変わるものではなく、だんだんと変化していくものであるため、従来の制御盤のように、４つの時間帯の温度だけの設定では、初心者には困難であった。これに対して、ハウス温度制御システム１においては、図４の折れ線８１乃至折れ線８５に示されるように、作物毎に２４時間の各時刻の目標となる温度を設定することができるので、経験者でなくとも比較的容易に設定を行うことができる。
【０１０６】
その上、ハウス温度制御システム１においては、温度設定時に、登録済みの温度特性の折れ線が表示され、ユーザは、それを基に所望の温度を設定することができる。これにより、初心者であっても、温度の設定を容易に行うことができる。
【０１０７】
以上のように、本発明によれば、温度設定時に、登録済みの温度特性の特性線が表示され、それを基に温度を設定することができるので、経験者でなくても温度の設定が容易にできることが可能となる。
【０１０８】
また、本発明によれば、設定した温度特性を登録しておくことができるので、適宜、この温度特性を読み出して、その温度特性でハウス内の温度制御ができるだけでなく、さらに、この温度特性で温度を制御した場合に作成された作物の出来具合と、この温度特性との関係を簡単に把握することができるようになる。
【０１０９】
これにより、ユーザ毎に作物を作成する環境は異なるが、各ユーザは、自分の環境により最適な温度特性を容易に、かつ、早く把握し、設定することが可能となる。
【０１１０】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ等に、プログラム記録媒体からインストールされる。
【０１１１】
図７は、上述した一連の処理をプログラムにより実行するパーソナルコンピュータの構成の例を示すブロック図である。CPU（Central Processing Unit）２０１は、ROM（Read Only Memory）２０２、または記録部２０８に記録されているプログラムに従って各種の処理を実行する。RAM（Random Access Memory）２０３には、CPU２０１が実行するプログラムやデータ等が適宜記憶される。これらのCPU２０１、ROM２０２、およびRAM２０３は、バス２０４により相互に接続されている。
【０１１２】
CPU２０１にはまた、バス２０４を介して入出力インターフェース２０５が接続されている。入出力インターフェース２０５には、マイクロホン等よりなる入力部２０６、ディスプレイ、スピーカ等よりなる出力部２０７が接続されている。CPU２０１は、入力部２０６から入力される指令に対応して各種の処理を実行する。そして、CPU２０１は、処理の結果を出力部２０７に出力する。
【０１１３】
入出力インターフェース２０５に接続されている記録部２０８は、例えばハードディスクからなり、CPU２０１が実行するプログラムや各種のデータを記録する。通信部２０９は、インターネットやローカルエリアネットワーク等のネットワークを介して外部の装置と通信する。
【０１１４】
また、通信部２０９を介してプログラムを取得し、記録部２０８に記録してもよい。
【０１１５】
入出力インターフェース２０５に接続されているドライブ２１０は、磁気ディスク、光ディスク、光磁気ディスク、或いは半導体メモリ等のリムーバブルメディア２１１が装着されたとき、それらを駆動し、そこに記録されているプログラムやデータ等を取得する。取得されたプログラムやデータは、必要に応じて記録部２０８に転送され、記録される。
【０１１６】
コンピュータにインストールされ、コンピュータによって実行可能な状態とされるプログラムを格納するプログラム記録媒体は、図７に示すように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリ等よりなるパッケージメディアであるリムーバブルメディア２１１、または、プログラムが一時的もしくは永続的に格納されるROM２０２や、記録部２０８を構成するハードディスク等により構成される。プログラム記録媒体へのプログラムの格納は、必要に応じてルータ、モデム等のインターフェースである通信部２０９を介して、ローカルエリアネットワーク、インターネット、ディジタル衛星放送といった、有線または無線の通信媒体を利用して行われる。
【０１１７】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１１８】
また、本明細書において、システムとは、複数の装置により構成される装置全体を表すものである。
【０１１９】
さらに、本発明の実施の形態は、上述した実施の形態に限定されるものではなく、本発明の要旨を逸脱しない範囲において種々の変更が可能である。
【図面の簡単な説明】
【０１２０】
【図１】本発明を適用したハウス温度制御システムの一実施の形態の構成例を示す側面図である。
【図２】図１のハウス温度制御システムを上から見た上面図である。
【図３】図１のハウス温度制御システムの電気的構成例を示すブロック図である。
【図４】温度特性の特性線の例を示す図である。
【図５】温度設定画面の例を示す図である。
【図６】図１のハウス温度制御システムの温度設定処理を説明するフローチャートである。
【図７】本発明を適用したコンピュータの一実施の形態の構成例を示すブロック図である。
【符号の説明】
【０１２１】
１  ハウス温度制御システム，  １１−１乃至１１−６  エアーコンディショナ，  ２１−１乃至２１−６  温度センサ，  ４１  制御部，  ４２  入力部，  ４３  表示部，  ４５  記憶部，５１  設定制御部，  ５２  登録部，  ５３  温度制御部
【図１】
2009268427.tif 000003
【図２】
2009268427.tif 000004
【図３】
2009268427.tif 000005
【図４】
2009268427.tif 000006
【図５】
2009268427.tif 000007
【図６】
2009268427.tif 000008
【図７】
2009268427.tif 000009